(57)【要約】      （修正有）【課題】卓上式及び手持ち式としての使用が可能で、使用しない時にはファンを内部に収容した形態でコンパクトに折り畳むことができる携帯型扇風機を提供する。【解決手段】携帯型扇風機Ａは、複数のブレード１８３、１８４を有し、各ブレードは、モーターの回転軸に固定された回転体１８２の外端部に回動可能に軸着され、狭く閉じた状態で揃えることが可能であるファンを有する扇風機本体１と、扇風機本体１に対し回動可能に軸着されており、扇風機本体１が入る開口部２１を有すると共に、所要の方向に回動させることにより扇風機本体１を内部に収容可能である収容ケース２とを備える。【選択図】図１
0003222543.tif 000002
【実用新案登録請求の範囲】
【請求項１】
複数のブレードを有し、該各ブレードは、モーターの回転軸に固定された回転体の外端部に回動可能に軸着され、狭く閉じた状態で揃えることが可能であるファンを有する扇風機本体と、
該扇風機本体に対し回動可能に軸着されており、前記扇風機本体が入る開口部を有すると共に、所要の方向に回動させることにより前記扇風機本体を内部に収容可能である収容ケースとを備える
携帯型扇風機。
【請求項２】
前記回転体が所要長さの長円状で、前記回転軸は前記回転体の中心に固定され、前記ブレードは前記回転体の長手方向の両端部に取り付けられている
請求項１記載の携帯型扇風機。
【請求項３】
前記収容ケースの前記開口部の縁は、略全体が長手方向と平行な同一平面上にある
請求項１又は２記載の携帯型扇風機。
【請求項４】
前記扇風機本体の長手方向の一方の端部に照明用のライトが設けられている
請求項１、２又は３記載の携帯型扇風機。
【考案の詳細な説明】
【技術分野】
【０００１】
本考案は、携帯型扇風機に関するものである。更に詳しくは、卓上式及び手持ち式としての使用が可能で、使用しない時にはファンを内部に収容した形態でコンパクトに折り畳むことができる携帯型扇風機に関する。
【背景技術】
【０００２】
従来、屋外やエアコンのない屋内等で涼を得るためには、団扇や扇子を使用するのが一般的であったが、近年においては、小型で携帯することが可能な、モーターでファンを回転させる手持ち式の扇風機が使用されるようになってきた。
【０００３】
このような携帯することが可能な扇風機としては、例えば特許文献１に記載された携帯用扇風機がある。この携帯用扇風機は、発光部材をファンの羽根等に配設し、発光部材の作動状態を通電により制御してファンを回転させて使用する。
【０００４】
これにより、夜間やイベント会場等の暗所において、使用者や周りの人が風で涼を得ることができると共に、目の残像効果を利用して発光部材の移動軌跡上に絵柄や画像を表示することで、視覚的に楽しむことができるというものである。
【０００５】
しかし、扇風機の基本的な構造については、本体ケースをハンドルにした手持ち式の扇風機であって、三枚の羽根を有するファンを回転軸に固定し、モーターで回転させて風を起こす、ごく一般的な構造である。
【先行技術文献】
【特許文献】
【０００６】
【特許文献１】特開平２００３−３１４４８７号公報
【考案の概要】
【考案が解決しようとする課題】
【０００７】
上記従来の携帯用扇風機は、イベント等において視覚的に楽しむことができる点では有用なものであるが、扇風機としての観点からは、次のような課題があった。すなわち、扇風機を使用しない時に、折り畳む等してコンパクトにすることができない。
【０００８】
特に、羽根が嵩張るので、色々なものと接触することで傷みやすい。更には、携帯用扇風機は、手持ち式としてしか使用できず、例えば机の天板に置く等、卓上用としての使用はできないため、使い勝手がよくない。
【０００９】
本考案は、以上の点に鑑みて創案されたものであり、卓上式及び手持ち式としての使用が可能で、使用しない時にはファンを内部に収容した形態でコンパクトに折り畳むことができる携帯型扇風機を提供することを目的とする。
【課題を解決するための手段】
【００１０】
（１）上記目的を達成するために、本考案に係る携帯型扇風機は、複数のブレードを有し、該各ブレードは、モーターの回転軸に固定された回転体の外端部に回動可能に軸着され、狭く閉じた状態で揃えることが可能であるファンを有する扇風機本体と、該扇風機本体に対し回動可能に軸着されており、前記扇風機本体が入る開口部を有すると共に、所要の方向に回動させることにより前記扇風機本体を内部に収容可能である収容ケースとを備える。
【００１１】
本考案の携帯型扇風機は、扇風機本体のファンを構成する各ブレードが、回転体の外端部に回動可能に軸着されているので、ファンが停止しているときは閉じた状態で揃えることができる。また、回転体が回転すると、各ブレードは遠心力で拡がり、風を起こすことができる。
【００１２】
ファンが回転しているときに、例えば使用者の指がブレードに触れたとしても、各ブレードは回転体に回動可能に軸着されていることで、弾かれて逃げるので、強く当たることはなく、怪我をする危険性は低い。
【００１３】
また、収容ケースは、扇風機本体に対し回動可能に軸着されているので、所要の方向に回動させることにより、開口部から扇風機本体を内部に収容可能である。なお、その際に、ファンの各ブレードも狭く閉じた状態で揃えて、開口部から内部へ入れることができる。
【００１４】
収容ケースは、扇風機本体に対して回動させることで、角度を任意に変えることができるので、例えば扇風機本体と収容ケースを直線状にして、収容ケースを持ち手として、手持ち式の扇風機として使用できる。
【００１５】
また、収容ケースを扇風機本体に対し、所要の角度を以て設定することにより、扇風機本体を立てて、収容ケースを支持用の台とし、机の天板等に置いて卓上式の扇風機として使用できる。
【００１６】
（２）本考案に係る携帯型扇風機は、前記回転体が所要長さの長円状で、前記回転軸は前記回転体の中心に固定され、前記ブレードは前記回転体の長手方向の両端部に取り付けられている構成としてもよい。
【００１７】
この場合は、二つのブレードが離れて取り付けられているので、各ブレード同士が回動中心である軸着部の近傍で干渉しにくく、各ブレードの曲面が密着することによる固定が起こりにくい。これにより、ファンの回転が始まるときに、各ブレードが簡単に解けて遠心力で拡がるので、直ぐに所要の風量の風を起こすことができる。
【００１８】
（３）本考案に係る携帯型扇風機は、前記収容ケースの前記開口部の縁は、略全体が長手方向と平行な同一平面上にある構成としてもよい。
【００１９】
この場合は、収容ケースの開口部の縁は、略全体が長手方向と平行な同一平面上にあるので、扇風機本体を収容する際に、本体の収まりがよい。また、開口部の縁の線が、外観に整った形状できれいに表れるので、意匠的にも優れる。
【００２０】
また、収容ケースを、携帯型扇風機を卓上式として使用するために台部とするときに、机の天板上面等に縁部を接面させることにより、接面部が一箇所でなく、複数箇所生じるので、携帯型扇風機に自立性を持たせることができ、卓上式としての使用が可能になる。
【００２１】
（４）本考案に係る携帯型扇風機は、前記扇風機本体の長手方向の一方の端部に照明用のライトが設けられている構成としてもよい。
【００２２】
この場合は、携帯型扇風機を懐中電灯として使用することも可能であるので、夜間の使用において便利である。
【考案の効果】
【００２３】
本考案によれば、卓上式及び手持ち式としての使用が可能で、使用しない時にはファンを内部に収容した形態でコンパクトに折り畳むことができる携帯型扇風機を提供することができる。
【図面の簡単な説明】
【００２４】
【図１】本考案に係る携帯型扇風機の卓上式とした状態の斜視図である。
【図２】図１に示す携帯型扇風機の縦断面説明図である。
【図３】携帯型扇風機の手持ち式とした状態の使用状態説明図である。
【図４】携帯型扇風機を折り畳んで本体をケース内に収容した状態の斜視説明図である。
【考案を実施するための形態】
【００２５】
本考案を図面に示した実施の形態に基づき詳細に説明する。
図１、図２及び図３を参照する。
携帯型扇風機Ａは、扇風機本体１と、扇風機本体１に回動可能に取り付けられ、扇風機本体１を収容可能な収容ケース２を備えている。
【００２６】
（扇風機本体１）
扇風機本体１は、中空の本体ケース１０を有している。本体ケース１０は、プラスチック製で、基部１１が太く形成され、先部１２が正面側を一部切り欠くようにしてやや細く形成されている。
【００２７】
本体ケース１０の基部１１の正面側には、先部寄りから順に、パイロットランプ１３、ｍｉｃｒｏＵＳＢポート１４、ＵＳＢ  Ａポート１５、作動スイッチ１６が設けられている。そして、本体ケース１０の基部１１の略半球形状部分の基端部には、照明用のライト１７が設けられている。
【００２８】
本体ケース１０の先部１２の正面側には、ファン１８が設けられている。ファン１８は、先部１２の内部に固定されているモーター１８０により回転する。モーター１８０の回転軸１８１の先端部には、ファン１８を構成する正面視で長円形の回転体１８２の中心部が固定されている。
【００２９】
なお、ここで「長円形」の用語は、半径の等しい二つの円を共通外接線でつないだ形を示す意味で使用しているが、回転体が所要の長さを有していれば、例えば正面視で楕円形、長方形等の回転体の採用も可能である。
【００３０】
回転体１８２は、所要の間隔を以て平行に設けた板体（符号省略）の長さ方向両端寄りに軸（図示省略）を通し、それぞれの軸にはブレード１８３、１８４を回動可能に軸着されている。ブレード１８３、１８４には、ひねりが設けられ、ファン１８が回転しないときは、自重で鉛直方向に垂れるようになっている（図１参照）。
【００３１】
また、ブレード１８３、１８４は、鉛直方向に垂れることにより閉じた状態で揃えることが可能で、その幅を後述する収容ケース２の開口部２１の幅より狭くすることができる。そして、上記作動スイッチ１７を押して、ファン１８を所要の方向に回転させることで、ブレード１８３、１８４は遠心力によって拡がって一直線状になり（図３参照）、正面方向の風を起こすことができる。
【００３２】
更に、ブレード１８３、１８４は、長円形の回転体１８２の長さ方向両端寄りに軸着されているので、ブレード１８３、１８４同士が回動中心である軸着部の近傍で干渉しにくく、各ブレードの曲面が密着することによる固定が起こりにくい。これにより、ファン１８の回転が始まると、各ブレードが簡単に解けるので、直ぐに所要の風量の風を起こすことができる。
【００３３】
なお、ファン１８は、ブレード１８３、１８４を揃えた状態では、本体ケース１０の先部１２の正面側の空間部（符号省略）に収まるようになっており、後述するように扇風機本体１を収容ケース２に収容する際に邪魔にならず、支障なく収まる。
【００３４】
ファン１８を駆動するモーター１８０には、本体ケース１０の基部１１から先部１２にかけて内部に固定されているバッテリー１９により給電が行われる（図２参照）。バッテリー１９は、上記ライト１７にも給電しており、ライト１７は作動スイッチ１６を長押しすることにより点灯させることが可能である。
【００３５】
（収容ケース２）
収容ケース２は、プラスチック製で、ブレード１８３、１８４を揃えた状態の上記扇風機本体１を収容可能な空間部２０を有し、空間部２０につながる開口部２１が形成されている。
【００３６】
開口部２１は、収容ケース２と略同じ長さに、かつ縁（符号省略）の略全体が長手方向と平行な同一平面上にある（図１（ｂ）、図２、図３参照）ように形成されている。開口部２１は、ブレード１８３、１８４を揃えた状態の扇風機本体１が通ることができる形状に形成されている。
【００３７】
収容ケース２の基部（図２で左寄り部分）には、扇風機本体１の基部１１を挟むことができる間隔で腕部（符号省略）が設けてある。収容ケース２は、腕部を扇風機本体１の基部１１に、軸体２２で回動可能に軸着されている。
【００３８】
なお、収容ケース２は、ノッチ機構（刻み機構）を以て取り付けられ、回動させるときに、所要角度（例えば卓上式や手持ち式で使用する場合の角度）毎に適度な段的操作感が得られるようにしている。また、所要角度で簡易的な固定ができるので、角度が維持され、使いやすい。
【００３９】
また、収容ケース２の先部は、基部１１の略半球形状部分と同様に半球状に近い形状に形成されており、その先端にはストラップを掛けるためのストラップ穴２４が設けてある。収容ケース２の内部壁の適宜箇所には、扇風機本体１を収容したときに扇風機本体１外面に接触して空隙を維持するスペーサー２３が設けられている。
【００４０】
（作用）
図１乃至図４を参照して、携帯型扇風機Ａの作用を説明する。
携帯型扇風機Ａは、収容ケース２が、扇風機本体１に対し回動可能に軸着されているので、角度を任意に変えることで、例えば扇風機本体１と収容ケース２を直線状にして、収容ケース２を持ち手として、手持ち式の扇風機として使用できる（図３参照）。
【００４１】
扇風機本体１のファン１８を構成する各ブレード１８３、１８４が、回転体１８２の外端部に回動可能に軸着されているので、ファン１８が停止しているときは閉じた状態で揃えることができる。また、回転体１８２が回転すると、各ブレード１８３、１８４は遠心力で拡がり、風を起こすことができる。
【００４２】
ファン１８が回転しているときに、例えば使用者の指がブレード１８３、１８４に触れたとしても、各ブレード１８３、１８４は回転体１８２に回動可能に軸着されていることで、弾かれて逃げるので、強く当たることはなく、使用者が怪我をする危険性は低い。
【００４３】
また、収容ケース２を扇風機本体１に対し、所要の角度を以て設定することにより、扇風機本体１を立てて、収容ケース２を支持用の台とし、机の天板等に置いて卓上式の扇風機として使用できる。
【００４４】
なお、収容ケース２の接面部となる開口部２１の縁は、略全体が長手方向と平行な同一平面上にあるので、扇風機本体１を収容する際に、扇風機本体１が直線的な棒体であるので収まりがよい。また、開口部２１の縁の線が、外観に整った形状できれいに表れるので、意匠的にも優れる。
【００４５】
更には、収容ケース２を、携帯型扇風機Ａを卓上式として使用するために台部とするときに、机の天板上面等に開口部２１の縁部を接面させることにより、接面部が一箇所でなく、複数箇所生じるので、携帯型扇風機Ａに自立性を持たせることができる。
【００４６】
そして、収容ケース２を開口部２１の方向（図１で右周り）へ回動させることにより、開口部２１から扇風機本体１を内部に収容可能である。なお、その際に、ファン１８の各ブレード１８３、１８４も狭く閉じた状態で揃えて、開口部２１から内部へ入れることができる。
【００４７】
このように、携帯型扇風機Ａをコンパクトに折り畳んだときには、懐中電灯としての使用が可能である。この場合、ライト１７の直ぐ近くに作動スイッチ１６があるので、点灯、消灯の操作がしやすく、使いやすい。
【００４８】
本考案に係る携帯型扇風機Ａによれば、卓上式及び手持ち式としての使用が可能で、使用しない時にはファンを内部に収容した形態でコンパクトに折り畳むことができる携帯型扇風機を提供することができる。
【００４９】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形が可能であるということは言うまでもない。
【符号の説明】
【００５０】
Ａ  携帯型扇風機
１  扇風機本体
１０  本体ケース
１１  基部
１２  部
１３  パイロットランプ
１４  ｍｉｃｒｏＵＳＢポート
１５  ＵＳＢ  Ａポート
１６  作動スイッチ
１７  ライト
１８  ファン
１８０  モーター
１８１  回転軸
１８２  回転体
１８３、１８４  ブレード
１９  バッテリー
２  収容ケース
２０  空間部
２１  開口部
２２  軸体
２３  スペーサー
２４  ストラップ穴
【図１】
0003222543.tif 000003
【図２】
0003222543.tif 000004
【図３】
0003222543.tif 000005
【図４】
0003222543.tif 000006